(57)【要約】【課題】ノイズ成分の同相信号を低減する同相信号低減回路に関し、比較的簡単な構成によりＤＳＬ方式に於けるツイストペアケーブルに重畳された同相信号を低減する。【解決手段】データ端末を接続するＤＳＬ送受信器１と、伝送線路としてのツイストペアケーブル４とを送受信トランス２を介して接続し、ツイストペアケーブル４とアースとの間に差動信号に対してハイインピーダンス且つ同相信号に対してローインピーダンスとなる差動トランス３の第１、第２のコイル３ａ，３ｂを接続した構成を有するものである。【選択図】図１
2008072301.tif 000002
【特許請求の範囲】
【請求項１】
ＤＳＬ送受信器と伝送線路としてのツイストペアケーブルとを送受信トランスを介して接続し、前記ツイストペアケーブルとアースとの間に差動信号に対してハイインピーダンス且つ同相信号に対してローインピーダンスとなる差動トランスを接続したことを特徴とする同相信号低減回路。
【請求項２】
ＤＳＬ送受信器と伝送線路としてのツイストペアケーブルとを送受信トランスを介して接続し、前記ツイストペアケーブルとアースとの間に差動信号に対してハイインピーダンス且つ同相信号に対してローインピーダンスとなる差動トランスの第１、第２のコイルを、それぞれコンデンサを介して接続したことを特徴とする同相信号低減回路。
【請求項３】
ＤＳＬ送受信器と伝送線路としてのツイストペアケーブルとを、送受信トランスとコモンモードチョークコイルとを介して接続し、前記ツイストペアケーブルとアースとの間に差動信号に対してハイインピーダンス且つ同相信号に対してローインピーダンスとなる差動トランスの第１、第２のコイルを、それぞれ第１、第２のコンデンサを介して接続し、前記差動トランスの第１、第２のコイルと前記第１、第２のコンデンサとの接続点に電話機を接続したことを特徴とする同相信号低減回路。
【発明の詳細な説明】
【技術分野】
【０００１】
本発明は、ツイストペアケーブルを伝送線路としたＤＳＬ方式に於けるノイズ成分の同相信号を低減する同相信号低減回路に関する。
【背景技術】
【０００２】
比較的大容量のデータ伝送を可能としたＡＤＳＬ（Ａｓｙｍｍｅｔｒｉｃ  Ｄｉｇｉｔａｌ  Ｓｕｂｓｃｒｉｂｅｒ  Ｌｉｎｅ）方式やＶＤＳＬ（Ｖｅｒｙ  ｈｉｇｈ−ｂｉｔ−ｒａｔｅ  Ｄｉｇｉｔａｌ  Ｓｕｂｓｃｒｉｂｅｒ  Ｌｉｎｅ）方式等のＤＳＬ（Ｄｉｇｉｔａｌ  Ｓｕｂｓｃｒｉｂｅｒ  Ｌｉｎｅ）方式が実用化されており、又伝送線路としては、電話加入者線として適用されているツイストペアケーブルを用いた構成が適用されている。このツイストペアケーブルに、各種のノイズ成分が重畳されることから、データの伝送誤り率を増加させる原因となる。ＤＳＬ方式の伝送信号は差動信号として伝送するものであるが、ノイズ成分は、同相信号として重畳されるから、差動信号に対してはローインピーダンスで、同相信号に対してはハイインピーダンスとなるコモンモードチョークをツイストペアケーブルに接続して、ノイズ成分を低減する構成が知られている。
【０００３】
図４は、コモンモードチョークコイルを用いた従来例のＤＳＬ方式の要部説明図であり、図示を省略したパソコン等のデータ端末を接続したＤＳＬ送受信器１１に、送受信トランス１２とコモンモードチョーク１３とを介してツイストペアケーブル１４を接続した構成が一般的である。伝送周波数を１ＭＨｚ程度以下とした場合は、送受信トランス１２により同相信号成分の除去も可能であったが、大容量伝送を可能とする為に、伝送周波数を数１０ＭＨｚ程度までの広範囲の周波数帯を使用する場合、送受信トランス１２のみでは充分に同相信号成分を減衰させることができないので、伝送信号の差動信号に対してローインピーダンス、且つ同相信号に対してハイインピーダンスの特性の図示のコモンモードチョーク１３を接続して、ノイズ成分となる同相信号成分を抑圧する。
【０００４】
又コモンモードチョークとコンデンサとを用いて同相信号成分を低減する構成として、電力線通信システムに於ける分岐線路等に適用した構成が提案されている（例えば、特許文献１参照）。又ＤＳＬ方式に於ける伝送データと音声信号とを分離する為のローパスフィルタとハイパスフィルタとを含むスプリッタ装置に、コモンモードチョークを電話機の前段に接続した構成が提案されている（例えば、特許文献２参照）。又ＡＤＳＬ方式に於けるデータ伝送経路側、即ち、データ端末の前段に同相信号を低減する為のコモンモードチョークを接続し、音声信号経路側、即ち、電話機の前段にローパスフィルタを接続したスプリッタ装置が提案されている（例えば、特許文献３参照）。
【特許文献１】特開２００６−３３１１３号公報
【特許文献２】特開２００３−１５２８９４号公報
【特許文献３】特開２００３−１７９４５４号公報
【発明の開示】
【発明が解決しようとする課題】
【０００５】
従来のコモンモードチョークを使用して、同相信号の低減を図る構成に於いては、コモンモードチョークの特性上、同相信号に対してはハイインピーダンス特性を示すから、ＤＳＬ送受信器への同相信号成分からなるノイズ成分の入力を阻止することができるが、その反面、ハイインピーダンスによって伝送線路上に現れる同相信号成分による電圧は高くなる。従って、ＤＳＬ送受信器への同相信号成分の低減作用の一部が相殺される問題がある。又同相信号成分は、伝送線路の平衡度によってその一部が差動信号成分に変換され、差動信号の送受信信号に対するノイズ成分として重畳されるから、伝送誤り率が増加する問題がある。
【０００６】
本発明は、前述の従来の問題点を解決するものであり、比較的簡単な構成により同相信号成分を低減することを目的とする。
【課題を解決するための手段】
【０００７】
本発明の同相信号低減回路は、ＤＳＬ送受信器と伝送線路としてのツイストペアケーブルとを送受信トランスを介して接続し、前記ツイストペアケーブルとアースとの間に差動信号に対してハイインピーダンス且つ同相信号に対してローインピーダンスとなる差動トランスを接続した構成を有するものである。
【０００８】
又ＤＳＬ送受信器と伝送線路としてのツイストペアケーブルとを送受信トランスを介して接続し、前記ツイストペアケーブルとアースとの間に差動信号に対してハイインピーダンス且つ同相信号に対してローインピーダンスとなる差動トランスの第１、第２のコイルを、それぞれコンデンサを介して接続した構成を有するものである。
【０００９】
又ＤＳＬ送受信器と伝送線路としてのツイストペアケーブルとを、送受信トランスとコモンモードチョークコイルとを介して接続し、前記ツイストペアケーブルとアースとの間に差動信号に対してハイインピーダンス且つ同相信号に対してローインピーダンスとなる差動トランスの第１、第２のコイルを、それぞれ第１、第２のコンデンサを介して接続し、前記差動トランスの第１、第２のコイルと前記第１、第２のコンデンサとの接続点に電話機を接続した構成を有するものである。
【発明の効果】
【００１０】
ツイストペアケーブルを差動トランスの第１、第２のコイルを介してアースに接続することにより、ツイストペアケーブルの線間に対して第１、第２のコイルが直列に接続されて、差動信号に対してはハイインピーダンスとなり、伝送するデータは差動信号であるから、減衰等の影響を及ぼすことはなく、ツイストペアケーブルに重畳されるノイズ成分は同相信号であり、この同相信号に対してローインピーダンス特性となるから、同相信号を低減することができる。従って、ＤＳＬ方式に於けるノイズ成分による伝送誤りを低減することができる。
【発明を実施するための最良の形態】
【００１１】
本発明の同相信号低減回路は、図１を参照して説明すると、ＤＳＬ送受信器１と伝送線路としてのツイストペアケーブル４とを送受信トランス２を介して接続し、ツイストペアケーブル４とアースとの間に差動信号に対してハイインピーダンス且つ同相信号に対してローインピーダンスとなる差動トランス３を接続した構成を有するものである。
【実施例１】
【００１２】
図１は、本発明の実施例１の説明図であり、１はＤＳＬ送受信器、２は送受信トランス、３は差動トランス、４はツイストペアケーブルを示す。ＤＳＬ送受信器１には、図示を省略したデータ端末を接続するもので、このＤＳＬ送受信器１に送受信トランス２を介してツイストペアケーブル４を接続する。又差動トランス３は、第１、第２のコイル３ａ，３ｂを有し、その第１、第２のコイル３ａ，３ｂのそれぞれ一端をアースに接続し、他端をツイストペアケーブル４に接続する。従って、ツイストペアケーブル４の線間に差動トランス３の第１、第２のコイル３ａ，３ｂを直列接続し、第１、第２のコイル３ａ，３ｂの接続点をアースに接続した構成するもので、差動トランス３は、ツイストペアケーブル４を伝送する差動信号に対してはハイインピーダンス、同相信号に対してはローインピーダンスの特性となる。それにより、伝送信号としての差動信号に対しては影響を与えることなく、ノイズ成分の同相信号を減衰させることができる。従って、差動トランス３は、コモンモードチョークコイルのように、同相信号に対してハイインピーダンスによる同相信号電圧の上昇の問題はなく、ノイズ成分の同相信号を低減することができる。
【実施例２】
【００１３】
図２は、本発明の実施例２の説明図であり、図１と同一符号は同一部分を示し、Ｃ１，Ｃ２は第１、第２のコンデンサである。この実施例２は、差動トランス３の第１、第２のコイル３ａ，３ｂをそれぞれ第１、第２のコンデンサＣ１，Ｃ２を介してアースに接続する。これらのコンデンサＣ１，Ｃ２は、ＤＳＬ送受信器１による送受信信号の周波数帯域と差動トランス３の同相信号に対するインダクタンス等を考慮して静電容量値を選定することができる。
【実施例３】
【００１４】
図３は、本発明の実施例３の説明図であり、１はＤＳＬ送受信器、２は送受信トランス、３は差動トランス、３ａ，３ｂは第１、第２のコイル、４はツイストペアケーブル、５はコモンモードチョーク、６は電話機、Ｃ１，Ｃ２は第１、第２のコンデンサを示す。この実施例３は、ツイストペアケーブル４に、コモンモードチョーク５と送受信トランス２とを介してＤＳＬ送受信器１を接続し、且つ差動トランス３を介して電話機６を接続し、この差動トランス３の第１、第２のコイル３ａ，３ｂと電話機６との間を、第１、第２のコンデンサＣ１，Ｃ２を介してアースに接続し、差動トランス３をスプリッタとして作用させる構成を有するものである。
【００１５】
ＤＳＬ送受信器１は、コモンモードチョーク５の同相信号に対するハイインピーダンス特性によりノイズ成分が入力されないようにし、且つ同相信号成分の電圧が高くなったとしても、差動トランス３と第１、第２のコンデンサＣ１，Ｃ２とにより、その同相信号成分に対してローインピーダンス特性となるから、同相信号成分の電圧上昇を確実に抑制することができる。又差動トランス３は、電話機６による音声信号帯域を通過させ、その音声信号帯域より高周波帯域のデータ伝送帯域を阻止する特性とするものであり、従って、差動トランス３をスプリッタとして動作させることができる。
【図面の簡単な説明】
【００１６】
【図１】本発明の実施例１の説明図である。
【図２】本発明の実施例２の説明図である。
【図３】本発明の実施例３の説明図である。
【図４】従来例の要部説明図である。
【符号の説明】
【００１７】
１  ＤＳＬ送受信器
２  送受信トランス
３  差動トランス
４  ツイストペアケーブル
５  コモンモードチョークコイル
Ｃ１，Ｃ２  コンデンサ
【図１】
2008072301.tif 000003
【図２】
2008072301.tif 000004
【図３】
2008072301.tif 000005
【図４】
2008072301.tif 000006